(57)【要約】【課題】構成部品を共通に使用しつつその機能を容易に切り換え可能な可変入賞装置を有する遊技機を提供することを目的とする。【解決手段】遊技球の入球を検出可能なスイッチ１４ａと、遊技盤２と水平方向に可動しスイッチ１４ａへの通路を開閉する可動片１４と、を備えた変動入球装置３０を備えており、可動片１４の上部近傍から可動片１４側に向かう第１の経路Ａと、第１の経路Ａから分岐した第２の経路Ｂと、を備え、第２の経路Ｂを、第１の経路Ａから遊技球を分岐させる分岐部３５と、分岐部３５より流下してきた遊技球を可動片１４よりも下方に誘導排出する誘導排出経路３６と、から構成し、この分岐部３５を変更することにより可動片１４の先端から分岐部３５までの長さを調節することにより変動入賞装置の機能を変更可能とした。【選択図】図５
2014136164.tif 000002
【特許請求の範囲】
【請求項１】
遊技球の入球を検出可能な入球検出手段と、遊技盤と水平方向に可動し前記入球検出手段への通路を開閉する開閉手段と、を備えた変動入球装置と、
前記開閉手段の上部近傍から前記開閉手段側に向かう経路と、
前記経路から遊技球を分岐させる分岐部を備えるカバー部材と、
を備え、
前記カバー部材を変更することにより前記開閉手段の先端から前記分岐部までの長さを調節可能としていることを特徴とする遊技機。
【発明の詳細な説明】
【技術分野】
【０００１】
本発明は、遊技機に関するものである。
【背景技術】
【０００２】
遊技機にあっては、遊技盤面に入賞装置、風車、可変表示装置、電飾装置等の各種盤面部品を設けて遊技内容の多様性を図り、遊技の進行中における入賞、その他の状況変化を契機として各種盤面部品を動作させる等により、演出効果を高めている。
なお、遊技機において用いられる入賞装置の一つとして、遊技盤面と平行な方向に可動することによって入球検知手段（スイッチ）への通路を開閉する開閉手段を有するタイプの可変入賞装置が知られている。
このタイプの可変入賞装置は、可動片の開放時間を可変することにより、遊技球が入賞し易い状態と入賞し難い状態との間で変動可能に構成されている。また、このような可変入賞装置を、遊技球が入賞することにより大当たり乱数等の抽選を行う電動式チューリップタイプの始動装置（第２始動口）として用いる遊技機（特許文献１）や、大当たり抽選に当選した結果付与される特典遊技（大当たり遊技）時において開閉されて入賞した遊技球毎に一定数の賞球を遊技者に付与する大入賞装置として用いた遊技機（特許文献２）と、が知られている。
【先行技術文献】
【特許文献】
【０００３】
【特許文献１】特開２０１２−２２８３６２公報
【特許文献２】特開２０１１−１２０７３５公報
【発明の概要】
【発明が解決しようとする課題】
【０００４】
ところで、このような遊技機は、始動装置としての可変入賞装置を大入賞装置に変更し、あるいは大入賞装置としての可変入賞装置を始動装置に変更するというように可変入賞装置の用途を変更することが出来なかった。
本発明は、この点を鑑み、用途を変更可能な可変入賞装置を有する遊技機を提供することを目的とする。
【課題を解決するための手段】
【０００５】
本発明は、上述の課題を解決するためになされたものであり、本発明の第１の形態に係る遊技機は、遊技球の入球を検出可能な入球検出手段と、遊技盤と水平方向に可動し前記入球検出手段への通路を開閉する開閉手段と、を備えた変動入球装置と、前記開閉手段の上部近傍から前記開閉手段側に向かう経路と、前記経路から遊技球を分岐させる分岐部を備えるカバー部材と、を備え、前記カバー部材を変更することにより前記開閉手段の先端から前記分岐部までの長さを調節可能としている遊技機を特徴とする。
【発明の効果】
【０００６】
上記のように構成したので、本発明によれば、用途を変更可能な可変入賞装置を有する遊技機を実現することが出来る。
【図面の簡単な説明】
【０００７】
【図１】本発明の実施形態に係る遊技機の正面図。
【図２】図１の遊技機における遊技盤の正面図。
【図３】本実施形態の遊技機の遊技制御を行う遊技制御装置の構成を示したブロック図。
【図４】本実施形態に係るパチンコ遊技機の特徴的な構成である変動入賞装置の周辺を拡大して示す図。
【図５】本実施形態に係るパチンコ遊技機における変動入賞装置の概略構成及び変動入賞装置における遊技球の流下方向を示す斜視図。
【図６】本実施形態に係るパチンコ遊技機における変動入賞装置の概略構成を示す分解斜視図。
【図７】本実施形態の変動入賞装置における共通駆動部の前面側の構成を示す図。
【図８】本実施形態の変動入賞装置における共通駆動部の背面側の構成を示す図。
【図９】図５に示す変動入賞装置から装飾部材を取り除いた状態を示す図。
【図１０】図９に示す変動入賞装置が、可動片タイプの「普通電動役物装置」として使用される場合のカバー部材の態様を示した図。
【図１１】図１０の場合における変動入賞装置の入口の大きさを示す図。
【図１２】図９に示す変動入賞装置が、可動片タイプの「大入賞装置」として使用される場合のカバー部材の態様を示した図。
【図１３】図１２の分解図における各構成を組み付けた状態を示す正面図。
【図１４】同一のカバー部材を使って、図１０、図１１の変動入賞装置（普通電動役物装置）を、大入賞装置と用いるための態様を示す図。
【発明を実施するための形態】
【０００８】
以下、本発明を図面に示した実施の形態により詳細に説明する。
図１は本発明の実施形態に係る遊技機の一例としてのパチンコ遊技機の構成例を示した全体正面図であり、図２は遊技盤の正面図である。
【０００９】
図１において、パチンコ遊技機１は、遊技店の島設備に取り付けられる外枠３００と、その外枠３００により回動可能に支持された図示しない内枠と、内枠に回転可能に支持されたガラス枠３１０と、が備えられている。ガラス枠３１０の後方（裏面側）には遊技球が流下する遊技領域３が形成された遊技盤２が設けられている。
ガラス枠３１０は、遊技盤２の前方（遊技者側）において遊技領域３を視認可能に覆うガラス板（図示しない）を支持している。
また、ガラス枠３１０には、回動操作されることにより遊技領域３に向けて遊技球を発射させる操作ハンドル３１１と、音声出力装置（スピーカ）３１２と、複数のランプを有する上下の演出用照明装置３１３ａ、３１３ｂと、押圧操作により演出態様を変更させるための演出ボタン３１４と、左右の演出用可動照明装置３２０Ｌ、３２０Ｒが設けられている。演出用可動照明装置３２０Ｌ、３２０Ｒは、ガラス枠３１０の左上隅及び右上隅に設けられている。
演出用可動照明装置３２０Ｌ、３２０Ｒは、図示しない可動照明部を備えており、図１に示す可動照明部を収納（閉塞）した状態から可動照明部を開放（突出）した状態に自動的に変動させることができるように構成されている。
【００１０】
さらに、ガラス枠３１０の下側には、受皿ユニット３１５が設けられている。受皿ユニット３１５には、複数の遊技球を貯留する球皿部が設けられており、この球皿部は、操作ハンドル３１１の方向側に遊技球が流下するように下りの傾斜を有している。そして、遊技者が操作ハンドル３１１を回動させると、遊技球が遊技領域３に発射されることとなる。
上記のようにして発射された遊技球がレール５ａ、５ｂ間を上昇して玉戻り防止片５ｃを超えると、遊技領域３に到達し、その後遊技領域３内を落下する。このとき、遊技領域３に設けられた複数の釘や風車によって、遊技球は予測不能に落下することとなる。
【００１１】
次に、遊技盤２の遊技領域３の構成について説明する。
図２において、遊技領域３には、複数の一般入賞口１８が設けられている。これら各一般入賞口１８に遊技球が入賞すると、所定の賞球（例えば１０個の遊技球）が払い出される。
また、遊技領域３の中央下側の領域には、遊技球が入球可能な始動領域を構成する第１始動口（第１始動手段）１３が設けられている。
【００１２】
また、遊技領域３の右側領域には、第２始動口（第２始動手段）１４が設けられている。
この第２始動口１４は、可動片１４ｂを有しており、可動片１４ｂが閉状態に維持される第１の態様と、可動片１４ｂが開状態となる第２の態様とに可動制御される。従って、第２始動口１４は、第１の態様にあるときには遊技球の入賞機会がなく、第２の態様にあるときには遊技球の入賞機会が増すこととなる。
【００１３】
ここで、第１始動口１３には遊技球の入球を検出する第１始動口スイッチ１３ａ（図３参照）が設けられ、第２始動口１４には遊技球の入球を検出する第２始動口スイッチ１４ａ（図３参照）が設けられている。そして、第１始動口スイッチ１３ａ又は第２始動口スイッチ１４ａが遊技球の入球を検出すると、特別図柄判定用乱数値等を取得し、後述する大当たり遊技を実行する権利獲得の抽選（以下、「大当たり抽選」という）が行われる。また、第１始動口スイッチ１３ａ又は第２始動口スイッチ１４ａが遊技球の入球を検出した場合には、所定の賞球（例えば３個の遊技球）が払い出される。
なお、本実施形態の遊技機１では、第１始動口１３又は第２始動口１４に遊技球が入球した場合、通常は例えば３個程度の払い出し（賞球）を行うようにしているが、始動口への遊技球の入球に伴う賞球は必ずしも行う必要は無い。
【００１４】
また、第２大入賞口１７は、遊技盤２に形成された開口部から構成されている。この第２大入賞口１７の下部には、遊技盤面側からガラス板側（前面側）に突出可能な開閉扉１７ｂを有しており、この開閉扉１７ｂが遊技盤面側に突出する開放状態と、遊技盤面に埋没する閉鎖状態とに可動制御される。そして、開閉扉１７ｂが遊技盤面に突出していると、遊技球を第２大入賞口１７内に導く受け皿として機能し、遊技球が第２大入賞口１７に入球可能となる。この第２大入賞口１７には第２大入賞口検出スイッチ１７ａが設けられており、この第２大入賞口検出スイッチ１７ａが遊技球の入球を検出すると、予め設定された賞球（例えば１５個の遊技球）が払い出される。
なお、第２大入賞口１７は、大当たり遊技中の所定ラウンドにおいて遊技球が入球した時に、検出スイッチによる入球検知を契機として、大当たり後の遊技状態（高確率状態又は低確率状態）を決定する抽選が行われる遊技状態確定用の大入賞口として使用されても良い。
【００１５】
さらに、飾り部材６の右側の領域には、遊技球が通過可能な補助図柄用のゲート１５と、遊技球が入球可能な第１大入賞口１６とが設けられている。
このため、操作ハンドル３１１を大きく回動させ、強い力で打ち出された遊技球でないと、ゲート１５と第１大入賞口１６とには遊技球が、通過又は入賞しないように構成されている。
ゲート１５には、遊技球の通過を検出するゲートスイッチ１５ａ（図３参照）が設けられており、このゲートスイッチ１５ａが遊技球の通過を検出すると、補助図柄判定用乱数値を取得し、後述する「補助図柄の当たり抽選」が行われる。
【００１６】
第１大入賞口１６は、通常は第１大入賞口の開閉扉１６ｂによって閉状態に維持されており、遊技球の入球を不可能としている。これに対して、所定の特別遊技が開始されると、第１大入賞口の開閉扉１６ｂが開放されるとともに、この第１大入賞口の開閉扉１６ｂが遊技球を第１大入賞口１６内に導く受け皿として機能し、遊技球が第１大入賞口１６に入球可能となる。第１大入賞口１６には第１大入賞口検出スイッチ１６ａ（図３参照）が設けられており、この第１大入賞口検出スイッチ１６ａが遊技球の入球を検出すると、予め設定された賞球（例えば１５個の遊技球）が払い出される。
【００１７】
第２大入賞口１７は、通常は第２大入賞口の開閉扉１７ｂによって閉状態に維持されており、遊技球の入球を不可能としている。これに対して、所定の特別遊技が開始されると、第２大入賞口の開閉扉１７ｂが開放されるとともに、この第２大入賞口の開閉扉１７ｂが遊技球を第２大入賞口１７内に導く誘導路として機能し、遊技球が第２大入賞口１７に入球可能となる。第２大入賞口１７には第２大入賞口検出スイッチ１７ａ（図３参照）が設けられており、この第２大入賞口検出スイッチ１７ａが遊技球の入球を検出すると、予め設定された賞球（例えば１５個の遊技球）が払い出される。
【００１８】
さらには、遊技領域３の最下部の領域には、一般入賞口１８、第１始動口１３、第２始動口１４、第１大入賞口１６および第２大入賞口１７のいずれにも入球しなかった遊技球を排出するためのアウト口１９が設けられている。
【００１９】
また、遊技領域３の中央には開口部３Ａが形成されており、開口部３Ａの周縁に沿って遊技球の流下に影響を与える飾り部材６が設けられている。この飾り部材６の略中央部分（開放部）であって遊技盤の背面側には、液晶表示装置等からなる画像表示装置７が設けられている。
【００２０】
この画像表示装置７は、遊技が行われていない待機中に画像を表示したり、遊技の進行に応じた画像を表示したりする。なかでも、後述する大当たり抽選の結果を報知するための演出図柄として、第１図柄８ａ、第２図柄８ｂ、第３図柄８ｃという３個の演出図柄８が表示され、特定の演出図柄８の組合せ（例えば、７７７等）が停止表示されることにより、大当たり抽選結果として大当たりが報知される。
具体的には、第１始動口１３又は第２始動口１４に遊技球が入球したときには、３個の演出図柄８をそれぞれスクロール表示するとともに、所定時間経過後に当該スクロールを停止させて、演出図柄８を停止表示するものである。また、この演出図柄８の変動表示中に、さまざまな画像やキャラクタ等を表示することによって、大当たりに当選するかもしれないという高い期待感を遊技者に与えるようにもしている。
【００２１】
さらに、上記の各種の演出装置に加えて、音声出力装置３１２は、ＢＧＭ（バックグランドミュージック）、ＳＥ（サウンドエフェクト）等を出力し、サウンドによる演出を行い、演出用照明装置３１３ａ、３１３ｂは、各ランプの光の照射方向や発光色を変更して、照明による演出を行うようにしている。
【００２２】
図１、図３に示すように、遊技盤２の左下方には、後述する第１特別図柄表示装置２０、第２特別図柄表示装置２１、補助図柄表示装置２２、第１特別図柄保留表示器２３、第２特別図柄保留表示器２４、補助図柄保留表示器２５、ラウンド回数表示器２６等の表示領域９が設けられている。
上記第１特別図柄表示装置２０は、第１始動口１３に遊技球が入球したことを契機として行われた大当たり抽選の結果を報知するものである。第２特別図柄表示装置２１は、第２始動口１４に遊技球が入球したことを契機として行われた大当たり抽選の結果を報知するためのものである。
【００２３】
ここで、「大当たり抽選」とは、第１始動口１３又は第２始動口１４に遊技球が入球したときに、特別図柄判定用乱数値を取得し、取得した特別図柄判定用乱数値が「大当たり」に対応する乱数値であるか、「小当たり」に対応する乱数値であるかの判定する処理をいう。この大当たり抽選の結果は即座に遊技者に報知されるわけではなく、第１特別図柄表示装置２０において特別図柄が点滅等の変動表示を行い、所定の変動時間を経過したところで、大当たり抽選の結果に対応する特別図柄が停止表示して、遊技者に抽選結果が報知されるようにしている。なお、特別図柄判定用乱数値については後述する。
【００２４】
また、本実施形態において「大当たり」というのは、第１始動口１３又は第２始動口１４に遊技球が入球したことを条件として行われる大当たりの抽選において、大当たり遊技を実行する権利を獲得したことをいう。「大当たり遊技」においては、第１大入賞口１６又は第２大入賞口１７が開放されるラウンド遊技を計１５回行う。各ラウンド遊技における第１大入賞口１６又は第２大入賞口１７の最大開放時間については予め定められた時間が設定されており、この間に第１大入賞口１６又は第２大入賞口１７に所定個数の遊技球（例えば９個）が入球すると、１回のラウンド遊技が終了となる。つまり、「大当たり遊技」は、第１大入賞口１６又は第２大入賞口１７に遊技球が入球するとともに、当該入球に応じた賞球を遊技者が獲得できる遊技である。大当たりにおけるラウンド遊技回数はラウンド回数表示器２６により表示される。
なお、この大当たり遊技には、複数種類の大当たりが設けられているが、詳しくは後述する。
【００２５】
また、補助図柄表示装置２２は、ゲート１５を遊技球が通過したことを契機として行われる補助図柄の抽選結果を報知するためのものである。詳しくは後述するが、この補助図柄の抽選によって当たりに当選すると補助図柄表示装置２２が点灯し、その後、上記第２始動口１４が所定時間、第２の態様に制御される。
ここで、「補助図柄の抽選」とは、ゲート１５に遊技球が通過したときに、補助図柄判定用乱数値を取得し、取得した補助図柄判定用乱数値が「当たり」に対応する乱数値であるかどうかの判定する処理をいう。
この補助図柄の抽選結果についても、ゲート１５を遊技球が通過して即座に抽選結果が報知されるわけではなく、補助図柄表示装置２２において補助図柄が点滅等の変動表示を行い、所定の変動時間を経過したところで、補助図柄の抽選結果に対応する補助図柄が停止表示して、遊技者に抽選結果が報知されるようにしている。
【００２６】
さらに、特別図柄の変動表示中や後述する特別遊技中等、第１始動口１３又は第２始動口１４に遊技球が入球して、即座に大当たりの抽選が行えない場合には、一定の条件のもとで、大当たりの抽選の権利が保留される。より詳細には、第１始動口１３に遊技球が入球したときに取得された特別図柄判定用乱数値を第１保留として記憶し、第２始動口１４に遊技球が入球したときに取得された特別図柄判定用乱数値を第２保留として記憶する。
これら両保留は、それぞれ上限保留個数を４個に設定し、その保留個数は、それぞれ第１特別図柄保留表示器２３と第２特別図柄保留表示器２４とに表示される。
【００２７】
そして、補助図柄の上限保留個数も４個に設定されており、その保留個数が、上記第１特別図柄保留表示器２３および第２特別図柄保留表示器２４と同様の態様によって、補助図柄保留表示器２５において表示される。
【００２８】
受皿ユニット３１５の上面には、一般的にチャンスボタンと呼ばれる演出ボタン３１４が配置されている。演出ボタン３１４の操作は、演出ボタンスイッチ３１４ａ（図２参照）が設けられており、例えば遊技中における特定のリーチ演出に際し、演出ボタン３１４の操作を促すガイダンスが画像表示装置７に表示されている間有効となる。
【００２９】
次に、本実施形態の遊技機の遊技制御を行う遊技制御装置について説明する。
図３は、本実施形態の遊技機の遊技制御を行う遊技制御装置の構成を示したブロック図である。
この図３に示す遊技制御装置には、遊技の進行を制御する主制御基板として遊技制御基板２１１が設けられている。また副制御基板として、演出制御基板２２１、画像制御基板２３１、ランプ制御基板２４１、払出制御基板２５１等が設けられている。
遊技制御基板２１１は、ＣＰＵ２１２、ＲＯＭ２１３、及びＲＡＭ２１４等を有し、当該遊技機の主たる制御を行う。
遊技制御基板２１１には、第１始動口１３内に設けられた第１始動口スイッチ（ＳＷ）１３ａ、第２始動口１４内に設けられた第２始動口ＳＷ１４ａ、第２始動口１４の可動片１４ｂを開閉動作させるための第２始動口ソレノイド（ＳＯＬ）１４ｃ、ゲート１５内に設けられたゲートＳＷ１５ａ、第１大入賞口１６に入賞した遊技球を検出する第１大入賞口ＳＷ１６ａ、第１大入賞口の開閉扉１６ｂを開閉動作させるための第１大入賞口ソレノイド（ＳＯＬ）１６ｃ、第２大入賞口１７に入賞した遊技球を検出する第２大入賞口ＳＷ１７ａ、第２大入賞口の開閉扉１７ｂを開閉動作させるための第２大入賞口ソレノイド（ＳＯＬ）１７ｃ、一般入賞口１８内に設けられた一般入賞口ＳＷ１８ａ等が接続されている。
【００３０】
また遊技制御基板２１１には、第１特別図柄の変動と表示を行う第１特別図柄表示装置２０、第２特別図柄の変動と表示を行う第２特別図柄表示装置２１、補助図柄の変動と表示を行う補助図柄表示装置２２が接続されている。
第１特別図柄表示装置２０及び第２特別図柄表示装置２１は、特別図柄を変動表示させ所定時間経過後に当該変動表示を停止させることにより特別図柄が当たりに当選したか否かを表示する。また、補助図柄表示装置２２は、遊技球がゲートＳＷ１５ａを通過したときに、補助図柄を変動表示させ所定時間経過後に当該変動表示を停止させることにより補助図柄が当たりに当選したか否かを表示する。
【００３１】
更に遊技制御基板２１１には、第１特別図柄の変動表示を開始させる権利（保留球）の保留個数を表示する第１特別図柄保留表示器２３、第２特別図柄の変動表示を開始させる権利の保留個数を表示する第２特別図柄保留表示器２４、補助図柄が変動中に遊技球がゲート１５を通過したときに、ゲート１５の通過によって得られる補助図柄の変動表示を開始させる権利の保留個数を表示する補助図柄保留表示器２５、ラウンド回数表示器２６等が接続されている。
遊技制御基板２１１は、第１特別図柄の保留球と第２特別図柄の保留球とが共に保留されている場合は、第２特別図柄の保留球を優先的に消化するように構成されている。勿論、第１特別図柄と第２特別図柄の保留球を入賞順に消化するように構成してもよい。
【００３２】
更に遊技制御基板２１１には、演出制御基板２２１、払出制御基板２５１、及び盤用外部情報端子基板２６０等が接続されている。
演出制御基板２２１は、ＣＰＵ２２２、ＲＯＭ２２３、ＲＡＭ２２４、ＲＴＣ（リアルタイムクロック）２２５等を有し、遊技演出全体の制御を行う。
演出制御基板２２１には、画像及び音声の制御を行う画像制御基板２３１、各種ランプ及び演出役物の制御を行うランプ制御基板２４１、及び演出ボタンスイッチ３１４ａが接続されている。
画像制御基板２３１は、ＣＰＵ２３２、ＲＯＭ２３３、ＲＡＭ２３４等を有し、演出制御基板２２１の指示に基づいて、画像及び音声の制御を行う。このため、画像制御基板２３１には、画像表示装置７と、音声出力装置（スピーカ）３１２とが接続されている。
【００３３】
ランプ制御基板２４１は、ＣＰＵ２４２、ＲＯＭ２４３、ＲＡＭ２４４等を有し、演出制御基板２２１の指示に基づいて、演出用の可動装置や照明装置等の制御を行う。このため、ランプ制御基板２４１には、演出用照明装置３１３（３１３ａ、３１３ｂ）、演出用可動照明装置３２０（３２０Ｌ、３２０Ｒ）等が接続されている。
【００３４】
払出制御基板２５１は、ＣＰＵ２５２、ＲＯＭ２５３、ＲＡＭ２５４等を有し、遊技球払出装置の払出モータ２５５、払出球検出ＳＷ２５６、球有り検出ＳＷ２５７、満タン検出ＳＷ２５８等の制御を行う。
また払出制御基板２５１には、枠用外部情報端子基板２７０が接続されている。
盤用外部情報端子基板２６０は、遊技盤の各種情報を外部に出力するための端子基板である。また枠用外部情報端子基板２７０は、枠の各種情報を外部に出力するための端子基板である。
【００３５】
以下に、本実施形態に係る遊技機の特徴的な構成について説明する。
図４は、本実施形態に係るパチンコ遊技機の特徴的な構成である変動入賞装置の周辺を拡大して示す図である。
本発明の変動入賞装置３０は、普通電動役物装置としても大入賞装置としても機能可能であることを特徴とするが、図４に示す変動入賞装置は、第２始動口１４を有する普通電動役物装置として機能する。
図４において、変動入賞装置３０は、遊技盤２の中央部において画像表示装置７を包囲して配置されたセンター役物（飾り部材）６と一体化されて設けられており、変動入賞装置３０が有する第２始動口１４には、所謂右打ちをされて図４中上側から流下する遊技球Ｃが入球するように構成されている。
【００３６】
図５は、実施形態に係るパチンコ遊技機における変動入賞装置３０の概略構成及び変動入賞装置３０における遊技球の流下方向を示す斜視図である。図６は、本実施形態に係るパチンコ遊技機における変動入賞装置の概略構成を示す分解図である。
なお、図５、図６において、変動入賞装置３０は、第２始動口１４を有する普通電動役物装置として機能する。
図５に示すように、本実施形態の変動入賞装置３０は、（第２）始動口１４と、入賞口１４内部において遊技球の入球を検出可能な入球検出手段（スイッチ）としての（第２始動口）スイッチ１４ａと、遊技盤２と水平方向に可動し入球検出手段１４ａへの通路（あるいは始動口１４）を開閉する開閉手段としての可動片１４ｂと、を主に備えている。
【００３７】
また、変動入賞装置３０においては、可動片１４ｂの上部近傍から可動片１４ｂ側に遊技球Ｃが向かう第１の経路Ａと、第１の経路Ａから分岐した第２の経路Ｂが形成されている。
この第２の経路Ｂは、第１の経路Ａから遊技球Ｃの経路を分岐させる分岐部３５と、分岐部３５より流下してきた遊技球を可動片１４ｂより下方の遊技領域３へ誘導排出する誘導排出経路部３６と、から構成されている。
従って、本実施形態の変動入賞装置３０は、誘導排出経路部３６の入口の位置あるいは大きさを変更することにより、遊技球の分岐部３５を変更し、可動片１４ｂの先端から分岐部３５までの長さを調節することが出来る。
【００３８】
また、図６に示すように、本実施形態の変動入賞装置３０は、大入賞装置、始動装置（普通電動役物装置）の何れかとして機能する場合にも共通して使用可能な、遊技盤面上に設けられる共通ベース部材４０と、共通ベース部材４０に設けられる遊技球が入球可能な開口部４１への経路を開閉する可動片１４ｂと、可動片１４ｂを駆動する駆動源としてのソレノイド１４ｃ及びスイッチ１４ａを一体的に含む共通駆動部５０と、下記に詳述するカバー部材６０と、カバー部材６０の前面側を装飾する装飾部材９０と、を備えている。
なお、共通ベース部材４０の前面側に、上記の可動片１４ｂ、カバー部材６０及び装飾部材９０を備え、共通ベース部材４０の背面側には上記の共通駆動部５０を備えている。
さらに、共通ベース部材４０及びカバー部材６０は、センター役物（飾り部材）６に一体的に組み付けられている。
【００３９】
図７、図８は、本実施形態の変動入賞装置における共通駆動部５０の構成を示す図であり、図７は前面側、図８は背面側から夫々見た図である。
図７（ａ）、図８（ａ）は、可動片１４ｂが閉状態にある場合を示し、図７（ｂ）、図８（ｂ）は可動片１４ｂが開状態にある場合を示している。図７に示すように、可動片１４ｂの開成（（ａ）→（ｂ））によって、スイッチ１４ａへの通路が確保されるようになっている。
【００４０】
ここで、図７、図８を用いて、共通駆動部４０における可動片１４ｂを駆動するための構成について説明する。
図７に示すように、ソレノイド１４ｃは、ソレノイド本体１００と、ソレノイド本体１００から斜め上下方向に出没するプランジャ１０１と、プランジャ１０１を突出方向に付勢するコイルバネ１０３とを備えている。ソレノイド１４ｃは、図示しない制御手段からの制御信号によってオン・オフ制御されて、オン時にはコイルバネ１０３に抗してプランジャ１０１を引っ込ませる。
図８に示すように、ソレノイド１４ｃによる駆動力によって可動片１４ｂを開閉駆動する駆動機構は、可動片１４ｂの回動軸１０４に対して偏心して設けられたピン１０５を移動自在に勘合する長穴１０６と、上下方向へ回動自在に軸支される軸部１０７を備える回動部材１０８を備えている。
ソレノイド１４ｃのオン・オフに伴うプランジャ１０１の出没動作によって回動部材１０８を、軸部１０７を中心に回動させることにより、可動片１４ｂを開閉させる。
【００４１】
図９は、図５に示す変動入賞装置のカバー部材から装飾部材を取り除いた状態を示している。
図１０は、図９に示す変動入賞装置が、可動片タイプの「普通電動役物装置」として使用される場合のカバー部材の態様を示した図である。
また、図１１は、図１０の場合における変動入賞装置の入口の大きさ（第２始動口１４の大きさ）を示す図である。
図１０は、本実施形態の変動入賞装置における共通ベース部材及びカバー部材の構成を詳述する分解図である。なお、図１０においては、可動片が最大量開放された状態を示している。
【００４２】
図１０に示すように、共通ベース部材４０の前面４２は、背面側に設けられるスイッチ１４ａ（図９参照）に連通する開口部４１を除いて略平坦面となっている。
従って、共通ベース部材４０単体では（カバー部材６０の存在なしには）、変動入賞装置３０における分岐部３５の位置すなわち変動入賞装置３０の入口の大きさは定義されない。
図１０に示すようにカバー部材６０は共通ベース部材４０の通路領域４３に対応する通路形成部６２を備えている。
図５、図９における変動入賞装置３０における分岐部３５の位置は、通路形成部６２の入口である誘導開口６１の下端縁６３の位置によって規定されるのである。
【００４３】
図１１は、図１０の分解図における各構成（共通ベース部材、カバー部材）を組み付けた状態を示す正面図である。
なお、図１１の変動入賞装置は、普通電動役物装置として機能すべきものである。その理由は下記に詳述する。
図１１の状態では、カバー部材６０における誘導開口６１の下端縁６３が、可動片１４ｂの上部近傍から可動片１４ｂ側に向かう第１の経路Ａと、第１の経路Ａから分岐した誘導排出経路部３６へ向かう第２の経路Ｂと、を分岐する分岐部３５となっている。
また、分岐部３５近傍の遊技領域３には、誘導排出経路部３６（通路形成部６２）側に遊技球を誘導する遊技くぎ８０を備えている。
図１１に示すように、変動入賞装置３０の入口の大きさは、分岐部３５と可動片１４ｂの先端部７０との間の距離Ｘによって示される。
なお、分岐部３５は、誘導開口６１の下端縁６３ではなく、遊技機くぎ８０の位置によって定義されても良い。
【００４４】
図１２は、図９に示す変動入賞装置が、可動片タイプの「大入賞装置」として使用される場合のカバー部材の態様を示した図である。図１２は、可動片が最大量開放された状態を示している。
図１２における共通ベース部材４０は、図１０に示す共通ベース部材と同一のものを用いており、カバー部材のみ、図１０、図１１のカバー部材６０と一部が異なるカバー部材６０Ａを用いている。
図１２のカバー部材６０Ａと、図１０のカバー部材６０との違いは、誘導開口の位置に存在する。カバー部材６０Ａの誘導開口６１Ａは、カバー部材６０の誘導開口６１に比べて小さく設定されている。
【００４５】
図１３は、図１２の分解図における各構成を組み付けた状態を示す正面図である。図１３の状態では、カバー部材６０Ａにおける誘導開口６１Ａの下端縁６３Ａが、可動片１４ｂの上部近傍から可動片１４ｂ側に向かう第１の経路Ａと、第１の経路Ａから分岐した誘導排出経路部３６へ向かう第２の経路Ｂと、を分岐する分岐部３５となっている。
図１２、図１３における変動入賞装置３０における分岐部３５の位置は、カバー部材６０Ａに設ける通路形成部６２Ａの入口である誘導開口６１Ａの下端縁６３Ａの位置によって規定されるのである。
【００４６】
また、分岐部３５近傍の遊技領域３には、誘導排出経路部３６（通路形成部６２Ａ）側に遊技球を誘導する遊技くぎ８０を備えている。
図１３に示すように、変動入賞装置３０の入口の大きさは、分岐部３５と可動片１４ｂの先端部７０との間の距離Ｙによって示される。
この距離Ｙは、図１１における距離Ｘよりも大きくなっている。
分岐部３５は、誘導開口６１の下端縁６３ではなく、遊技機くぎ８０の位置によって定義されても良い。
また、変動入賞装置が「大入賞装置」として使用される場合、スイッチ１４ａは大入賞口スイッチとして使用される。
【００４７】
国家公安委員会規則第４の「遊技機の認定及び型式の検定等に関する規則」によれば、（１）普通電動役物装置の作動により開き、又は拡大した場合における入賞口の入口の大きさは５５ｍｍを超えるものではないこと、（２）特別電動役物の作動により開き、又は拡大した場合における大入賞口の入口の大きさは５５ｍｍを超え、１３５ｍｍを超えないものであること、と規定されている。
【００４８】
本発明によれば、図１１における変動入賞装置の入口の大きさＸが、上記（１）の要件を満たし、且つ図１３における変動入賞装置の入口の大きさＹが、上記（２）の要件を満たすようにカバー部材６０（６０Ａ）の形状（誘導開口の位置、大きさ）を夫々設定することにより、カバー部材を取り替えることのみで、共通ベース部材４０や可動片１４ｂ、ソレノイド１４ｃ、スイッチ１４ａ等を生かしたまま、変動入賞装置を、大入賞装置、又は普通電動役物装置として使用することが可能である。
【００４９】
次に、同一のカバー部材６０を使い回して、本実施形態の変動入賞装置３０を、大入賞装置又は普通電動役物装置として使用する態様を説明する。
図１４は、同一のカバー部材を使って、図１０、図１１の変動入賞装置（普通電動役物装置）を、大入賞装置と用いるための態様を示す図である。
すなわち、図１４に示すように、カバー部材６０の誘導開口６１の下端縁かから中心側にかけて、誘導開口６１の一部を塞ぐように遊技くぎ８０を配置する。
これによって、誘導開口６１において遊技球が誘導排出経路部３６側に進入可能な経路を狭くすることになり、実質的に図１２のように、誘導開口６１を狭く形成した場合と同じ効果を奏する。
従って、図１２、図１３の場合に比べて、より効果的に、部材の再利用を図ることが可能である。
【符号の説明】
【００５０】
１４ａ  入球検出手段、１４ｂ  可動片（開閉手段）、３０  変動入賞装置、３５  分岐部、３６  誘導排出経路部、６０  カバー部材、６０Ａ  カバー部材、６１  誘導開口、６１Ａ  誘導開口、６２  通路形成部、６２Ａ  通路形成部、Ａ  第１の通路、Ｂ  第２の通路
【図１】
2014136164.tif 000003
【図２】
2014136164.tif 000004
【図３】
2014136164.tif 000005
【図４】
2014136164.tif 000006
【図５】
2014136164.tif 000007
【図６】
2014136164.tif 000008
【図７】
2014136164.tif 000009
【図８】
2014136164.tif 000010
【図９】
2014136164.tif 000011
【図１０】
2014136164.tif 000012
【図１１】
2014136164.tif 000013
【図１２】
2014136164.tif 000014
【図１３】
2014136164.tif 000015
【図１４】
2014136164.tif 000016